(57)【特許請求の範囲】
【請求項１】
生体を治療する治療装置であって、
治療レーザ光を出射する治療レーザ光源と、
前記治療レーザ光を患者眼の組織に照射するレーザ照射光学系と、
ユーザが携帯することが可能な記憶媒体から、前記治療装置による治療動作の実行の可否を判断するための鍵情報と、前記治療動作の動作条件を含むユーザ情報とを取得する情報取得手段と、
前記情報取得手段によって適切な鍵情報が取得された場合に、前記治療動作の実行を禁止する状態を、前記治療動作の実行を許容する状態に移行させる状態移行手段と、
前記情報取得手段によって前記記憶媒体から取得された動作条件を前記治療装置において設定する設定手段と、
前記治療装置で発生したエラーのログを前記記憶媒体に記憶させるエラー記憶処理手段と、
を備え、
前記治療動作の動作条件は、前記組織に照射される前記治療レーザ光のエネルギ、パワー、前記組織に対する前記治療レーザ光の照射時間、前記レーザ照射光学系によって前記組織に集光される前記治療レーザ光のスポットサイズ、および、基準位置に対する前記治療レーザ光の集光位置のシフト量の少なくともいずれかを含むことを特徴とする治療装置。
【請求項２】
請求項１に記載の治療装置であって、
ユーザによる操作指示を入力する操作部と、
前記操作部によって入力された操作指示に従って、前記治療動作の動作条件を設定する操作設定手段と、
前記操作設定手段によって設定された動作条件を前記記憶媒体に記憶させる条件記憶処理手段と、
をさらに備えたことを特徴とする治療装置。
【発明の詳細な説明】
【技術分野】
【０００１】
本開示は、生体を治療する治療装置に関する。
【背景技術】
【０００２】
従来、治療装置の安全性を高めるための種々の技術が提案されている。例えば、特許文献１に記載の眼科用レーザシステムは、プリセットの電力レベルを超えてレーザ制御モジュールに電力が供給されることを防止する。また、医師以外の者によって治療装置が誤って使用される可能性を低下させるために、鍵を鍵穴に挿入しなければ治療動作が実行されない治療装置も知られている。
【０００３】
各種動作条件（例えば、レーザ治療装置であれば、レーザの出力、レーザの照射時間等）を装置本体に記憶する治療装置も知られている。例えば、ユーザは、装置本体に記憶された１つまたは複数の動作条件のうち、望ましい動作条件を自ら選択する。治療装置は、ユーザによって選択された動作条件を設定する。
【先行技術文献】
【特許文献】
【０００４】
【特許文献１】特表２００４−５２８８９４号公報
【発明の概要】
【発明が解決しようとする課題】
【０００５】
誤使用の可能性を低下させるために機械式の鍵を用いると、鍵の管理または取扱い等が煩雑となる場合がある。また、従来の治療装置では、例えば、異なる場所に設置された同一種類の治療装置を１人のユーザが使用する場合、または、１つの治療装置を多数のユーザが使用する場合等に、動作条件を設定する作業が煩雑となり易かった。
【０００６】
本開示の典型的な目的は、誤使用の抑制と動作条件設定の容易化を共に適切に実現することが可能な治療装置を提供することである。
【課題を解決するための手段】
【０００７】
本開示における典型的な実施形態が提供する治療装置は、生体を治療する治療装置であって、治療レーザ光を出射する治療レーザ光源と、前記治療レーザ光を患者眼の組織に照射するレーザ照射光学系と、ユーザが携帯することが可能な記憶媒体から、前記治療装置による治療動作の実行の可否を判断するための鍵情報と、前記治療動作の動作条件を含むユーザ情報とを取得する情報取得手段と、前記情報取得手段によって適切な鍵情報が取得された場合に、前記治療動作の実行を禁止する状態を、前記治療動作の実行を許容する状態に移行させる状態移行手段と、前記情報取得手段によって前記記憶媒体から取得された動作条件を前記治療装置において設定する設定手段と、前記治療装置で発生したエラーのログを前記記憶媒体に記憶させるエラー記憶処理手段と、を備え、前記治療動作の動作条件は、前記組織に照射される前記治療レーザ光のエネルギ、パワー、前記組織に対する前記治療レーザ光の照射時間、前記レーザ照射光学系によって前記組織に集光される前記治療レーザ光のスポットサイズ、および、基準位置に対する前記治療レーザ光の集光位置のシフト量の少なくともいずれかを含む。
【図面の簡単な説明】
【０００９】
【図１】治療装置１の概略構成を示す図である。
【図２】コントロールボックス７０の斜視図である。
【図３】記憶媒体７１に記憶される情報の構成の一例を説明するための説明図である。
【図４】治療装置１が実行する治療装置制御処理のフローチャートである。
【図５】治療装置制御処理において実行される起動処理のフローチャートである。
【発明を実施するための形態】
【００１０】
以下、本開示における典型的な実施形態について説明する。以下では、生体を治療する治療装置の一例として、患者眼の水晶体後嚢における後発白内障等を治療することが可能な眼科用レーザ治療装置を例示して説明を行う。しかし、本実施形態で例示する技術の少なくとも一部は、他の治療装置に適用することも可能である。例えば、患者眼の眼底に治療レーザ光を照射する治療装置、エキシマレーザによって患者眼の角膜の屈折力を矯正する治療装置、フェムト秒レーザによって患者眼の角膜または水晶体を処置する治療装置、治療レーザによって患者の皮膚を治療する治療装置、レーザ治療装置以外の治療装置等にも、本実施形態で例示する技術の少なくとも一部を適用できる。
【００１１】
図１を参照して、本実施形態の治療装置１の概略構成について説明する。本実施形態の治療装置１は、一例として、レーザ照射光学系１０、エイミング光学系２０、照明光学系３０、観察光学系４０、および制御部６０を備える。
【００１２】
＜レーザ照射光学系＞
本実施形態のレーザ照射光学系１０は、治療レーザ光源１１、エネルギ調整部１３、ビームスプリッタ１７、光検出器１８、安全シャッタ１９、シフト調整部５０、ダイクロイックミラー２２、エキスパンダレンズ２３、ダイクロイックミラー２４、および対物レンズ２５を備える。
【００１３】
治療レーザ光源１１は、患者眼Ｅの組織を治療するための治療レーザ光を出射する。一例として、本実施形態の治療レーザ光源１１では、ネオジウムをドープしたＹＡＧ（イットリウム・アルミニウム・ガーネット）結晶（Ｎｄ：ＹＡＧ）がレーザロッドとして使用される。
【００１４】
エネルギ調整部１３は、患者眼Ｅの組織に照射される治療レーザ光のエネルギ量を調整する。本実施形態のエネルギ調整部１３は、１／２波長板１４および偏光板１６を備える。１／２波長板１４は、治療レーザ光の光軸を中心として、モータ１５によって回転する。偏光板１６は、ブリュースタ角で配置されている。１／２波長板１４と偏光板１６の組み合わせによって、治療レーザ光のエネルギ量が調整される。なお、組織に照射される治療レーザ光のエネルギを調整する方法は、変更することも可能である。例えば、治療レーザ光源１１として、供給する電力量によってレーザ光のエネルギを変更可能な光源を用いる場合には、制御部６０は、治療レーザ光源１１に供給する電力量を調整することで、治療レーザ光のエネルギを調整してもよい。
【００１５】
ビームスプリッタ１７は、治療レーザ光の一部を光検出器１８へ向けて反射させる。光検出器１８は、ビームスプリッタ１７によって反射された治療レーザ光を受光することで、治療レーザ光のエネルギ量を検出する。安全シャッタ１９は、シャッタ駆動部２８（例えばソレノイド）によって、治療レーザ光の光軸上と光軸外の間を移動する。安全シャッタ１９は、治療レーザ光の光軸上に配置されることで、患者眼Ｅへの治療レーザ光の照射を遮断する。
【００１６】
シフト調整部５０は、基準位置に対する治療レーザ光の集光位置を変化させることができる。本実施形態では、基準位置は、治療レーザ光の光軸に沿った方向におけるエイミング光（詳細は後述する）の集光位置である。つまり、シフト調整部５０は、エイミング光のフォーカス位置に対して、治療レーザ光のフォーカス位置を、治療レーザ光の光軸に沿って近方（光路の上流側）または遠方（光路の下流側）に移動させることができる。以下の説明では、治療レーザ光の集光位置と基準位置の間の距離を、フォーカスシフト量と言う場合がある。本実施形態のシフト調整部５０は、凹レンズ５１、凸レンズ５３、およびモータ５５を備える。シフト調整部５０は、モータ５５によって凸レンズ５３を光軸に沿って移動させることでフォーカスシフト量を調整する。なお、シフト調整部５０の構成を変更することも可能である。例えば、モータ５５を用いずに、ユーザが手動で凸レンズ５３を移動させてもよい。
【００１７】
エキスパンダレンズ２３は、ダイクロイックミラー２２によって合波された光（治療レーザ光、および後述するエイミング光）の光束を拡大する。エキスパンダレンズ２３によって拡大された光は、ダイクロイックミラー２４によって反射され、対物レンズ２５を透過する。本実施形態では、対物レンズ２５を透過した治療レーザ光は、患者眼Ｅに装着されたコンタクトレンズ２６を介して患者眼Ｅの組織に照射される。ダイクロイックミラー２４は、患者眼Ｅによって反射された治療レーザ光の反射光が術者の眼に入射することを抑制するために、反射光の波長の光をほぼ反射させる。
【００１８】
＜エイミング光学系＞
本実施形態のエイミング光学系２０は、治療対象の部位に照準を合わせるために用いられる。詳細には、本実施形態のエイミング光学系２０は、エイミング光源１２、コリメータレンズ２１、アパーチャ２７、ダイクロイックミラー２２、エキスパンダレンズ２３、ダイクロイックミラー２４、および対物レンズ２５を備える。なお、ダイクロイックミラー２２から対物レンズ２５までのエイミング光学系２０の光路は、レーザ照射光学系１０の光路と共用される。
【００１９】
エイミング光源１２は、治療用のレーザ光が照射される位置を術者に誘導させるためのエイミング光を出射する。コリメータレンズ２１は、エイミング光源１２によって出射されたエイミング光を平行光束とする。アパーチャ２７は、コリメータレンズ２１によって平行光束とされたエイミング光の光束を、複数（例えば２つ）の光束に分離する。エイミング光のフォーカス位置（フォーカス面）では、アパーチャ２７で分離した複数の光束が１つに重なる。一方、エイミング光のフォーカス位置に対する前後位置（デフォーカス面）では、複数の光束が分離したままの状態となる。よって、ユーザは、エイミング光の分離状態から照準状態を容易に判断できる。ダイクロイックミラー２２は、治療レーザ光とエイミング光を合波する。
【００２０】
＜照明光学系＞
照明光学系３０は、治療対象の組織を含む観察部位を照明する。本実施形態の照明光学系３０は、ランプ３１、レンズ３２、絞り３３、レンズ群３４、およびプリズム３５を備える。なお、照明光学系３０が、観察部位にスリット光を照明するためのスリット板等を備えていてもよい。
【００２１】
＜観察光学系＞
観察光学系４０は、ユーザ（術者）が患者眼Ｅの観察部位を観察するために用いられる。本実施形態の観察光学系４０は、顕微鏡４１に組み込まれており、変倍光学系４２、術者保護フィルタ４３、結像レンズ４４、正立プリズム群４５、視野絞り４６、および接眼レンズ４７を備える。
【００２２】
＜制御部＞
制御部６０は、治療装置１の動作を制御する。本実施形態の制御部６０は、ＣＰＵ６１（プロセッサ）、ＲＯＭ６２、ＲＡＭ６３、および不揮発性メモリ（Ｎｏｎ−ｖｏｌａｔｉｌｅ  ｍｅｍｏｒｙ：ＮＶＭ）６４等を備える。ＣＰＵ６１は、治療装置１における各部の制御を司る。ＲＯＭ６２には、各種プログラム、初期値等が記憶されている。ＲＡＭ６３は、各種情報を一時的に記憶する。不揮発性メモリ６４は、電源の供給が遮断されても記憶内容を保持できる非一過性の記憶媒体である。例えば、本実施形態では、後述する治療装置制御処理（図４および図５参照）を実行するための治療装置制御プログラム等が不揮発性メモリ６４に記憶される。
【００２３】
制御部６０には、レーザ光源１１、モータ１５、光検出器１８、シャッタ駆動部２８、モータ５５、エイミング光源１２、ランプ３１が接続されている。さらに、制御部６０には、記憶媒体インターフェース（ＩＦ）６５、操作部６６、およびトリガスイッチ６７が接続されている。詳細は後述するが、本実施形態では、記憶媒体ＩＦ６５および操作部６６はコントロールボックス７０（図２参照）に設けられている。
【００２４】
記憶媒体ＩＦ６５は、記憶媒体７１（図２参照）から情報を読み取る。さらに、本実施形態の記憶媒体ＩＦ６５は、記憶媒体７１に対する情報の書き込みを行うことも可能である。記憶媒体７１は、各種情報を記憶することができる。ユーザは記憶媒体７１を携帯することができる。また、記憶媒体７１には、治療装置１以外の外部端末（例えば、パーソナルコンピュータおよび携帯端末等）によって情報の読み取りおよび書き込みを行うことも可能である。記憶媒体７１の種類は適宜選択できる。一例として、本実施形態ではＳＤメモリカードが記憶媒体７１として用いられている。しかし、他の種類の記憶媒体（例えば、ＵＳＢメモリ、ＲＦＩＤ等）を用いることも可能である。記憶媒体７１との間で情報の読み取りおよび書き込みを行う方法も適宜選択できる。例えば、無線通信によって情報が読み取られてもよい。また、携帯端末に内蔵された記憶媒体が利用されてもよい。この場合、例えば、携帯端末にインストールされたアプリケーションが起動されることで、携帯端末の記憶媒体に記憶された情報が制御部６０によって取得されてもよい。
【００２５】
操作部６６は、ユーザによって操作されることで、ユーザによる各種操作指示を入力する。一例として、本実施形態の操作部６６はタッチパネルであり、各種画像を表示する表示手段を兼ねる。しかし、操作部６６の構成を変更することも可能である。例えば、各種スイッチ、キーボード、マウス等を操作部６６に用いてもよい。操作部と表示部が別で設けられていてもよい。トリガスイッチ６７は、ユーザによって操作されることで、治療レーザ光の照射実行指示を制御部６０に入力する。
【００２６】
＜コントロールボックス＞
図２を参照して、本実施形態のコントロールボックス７０について説明する。本実施形態のコントロールボックス７０は、タッチパネル式の操作部６６を表面に備えると共に、記憶媒体ＩＦ６５を側面に備える。ユーザは、自分が所有している記憶媒体７１を記憶媒体ＩＦ６５に装着する。その結果、記憶媒体７１に記憶された情報が制御部６０によって取得されると共に、記憶媒体７１に情報が書き込まれる。治療装置１の使用が終了すると、ユーザは、記憶媒体ＩＦ６５から記憶媒体７１を取り外して持ち運ぶことができる。よって、ユーザは、自分が所有する記憶媒体７１を、複数の治療装置１（例えば、異なる場所に設置された同一種類の治療装置１の各々）に使用することができる。
【００２７】
なお、本実施形態では、コントロールボックス７０もＣＰＵ、ＲＯＭ、ＲＡＭ、および不揮発性メモリを備える。コントロールボックス７０のＣＰＵは、記憶媒体７１からの情報の読み込み制御、記憶媒体７１への情報の書き込み制御等を行うと共に、前述した本体の制御部６０のＣＰＵ６１との間で各種信号およびデータの送受信を行うことができる。後述する治療装置制御処理（図４および図５参照）は、本体の制御部６０のＣＰＵ６１と、コントロールボックス７０のＣＰＵとによって実行される。しかし、治療装置制御処理は、本体の制御部６０のＣＰＵ６１のみによって実行されてもよい。従って、説明を簡略化するために、以下の説明で「制御部６０」という場合には、本体の制御部６０を単独で示す場合だけでなく、コントロールボックス７０の制御部も含む場合もある。また、「ＣＰＵ６１」という場合には、本体のＣＰＵ６１を単独で示す場合だけでなく、コントロールボックス７０のＣＰＵを含む場合もある。
【００２８】
＜治療中画像＞
図２を参照して、治療中画像の一例について説明する。治療中画像は、治療レーザ光による治療が行われる間にタッチパネル式の操作部６６に表示される画像である。本実施形態における治療中画像には、バースト数表示欄７３、エネルギ表示欄７４、シフト量表示欄７５、照射数表示欄７６、およびユーザ情報表示欄７７が含まれる。
【００２９】
バースト数表示欄７３には、設定されているバースト数と、バースト数の設定値を変更するスイッチとが表示される。バースト数とは、トリガスイッチ６７が１回操作される毎に実行する治療レーザ光の照射回数である。エネルギ表示欄７４には、設定されている治療レーザ光のエネルギと、エネルギの設定値を変更するスイッチとが表示される。エネルギとは、１回の照射あたりの治療レーザ光のエネルギ（１発のジャイアントパルスのエネルギ）である。シフト量表示欄７５には、設定されているフォーカスシフト量と、フォーカスシフト量の設定値を変更するスイッチとが表示される。本実施形態の治療装置１における治療動作の動作条件には、バースト数、エネルギ、およびフォーカスシフト量が含まれる。
【００３０】
照射数表示欄７６には、患者眼Ｅに対して実行した治療レーザ光の照射回数が、治療記録として表示される。ユーザ情報表示欄７７には、記憶媒体７１から取得されたユーザ情報の少なくとも一部が表示される。一例として、本実施形態では、ユーザＩＤと、ユーザ名と、ユーザに適した動作条件とがユーザ情報として表示される。
【００３１】
＜記憶媒体に記憶される情報の構成＞
図３を参照して、記憶媒体７１に記憶される情報の構成の一例について説明する。本実施形態では、記憶媒体７１に記憶される情報の種別として、鍵情報、ユーザ情報、治療外設定情報、治療記録情報、およびエラーログ情報が含まれる。
【００３２】
鍵情報は、治療装置１が治療動作の実行の可否を判断するために用いられる。詳細は後述するが、治療装置１は、記憶媒体７１から取得した鍵情報が適切である場合に治療動作の実行を許容する。従って、記憶媒体７１は、治療装置１による治療動作を起動させるためのメモリキーとして用いられる。なお、ユーザは、治療装置１以外の外部端末（例えば、パーソナルコンピュータ、および携帯端末等）を用いる場合でも、通常の操作では、記憶媒体７１に記憶されている鍵情報を読み出して表示させることも、コピーすることも、書き換えることもできない。例えば、記憶媒体７１では鍵情報がロックされていてもよい。
【００３３】
ユーザ情報は、記憶媒体７１を所有しているユーザを特定する情報である。本実施形態では、ユーザ情報として、ユーザＩＤ、ユーザ名、および動作条件が記憶媒体７１に記憶されている。動作条件とは、治療装置１が治療動作を行う際の条件である。前述したように、本実施形態における動作条件には、バースト数、エネルギ、およびフォーカスシフト量が含まれる。記憶媒体７１は、１組または複数組の動作条件を記憶することができる。また、前述したように、本実施形態では、治療装置１以外の外部端末によって記憶媒体７１に情報を書き込むことも可能である。よって、ユーザは、パーソナルコンピュータおよび携帯端末等の外部端末を用いて動作条件を決定し、決定した動作条件を、外部端末から記憶媒体７１に書き込ませることも可能である。
【００３４】
治療外設定情報は、治療装置１における治療動作以外の動作の基本設定を示す情報である。一例として、本実施形態では、使用言語、音量、および画面の明るさの設定情報が、治療外設定情報として記憶される。例えば、治療装置１におけるプログラムのアップデート、治療装置の修理、入れ替え等を行った場合でも、記憶媒体７１が記憶媒体ＩＦ６５に装着されることで、従来の基本設定がそのまま適用される。
【００３５】
治療記録情報は、ユーザが患者に対して過去に行った治療の記録を示す情報である。一例として、本実施形態では、治療が行われた日時、動作条件、および治療レーザ光の照射数が、治療記録情報として記憶媒体７１に記憶される。従って、ユーザは過去の治療記録を容易に確認することができる。また、ユーザは、記憶媒体７１を治療装置１から取り外すことで、治療装置１以外の外部端末で過去の治療記録を確認することも可能である。
【００３６】
エラーログ情報は、治療装置１において過去に生じたエラーの日時とエラー内容を示す情報である。一例として、本実施形態では、エラーが生じた治療装置１のデバイスＩＤと、エラーが生じた日時と、エラー内容とがエラーログ情報として記憶される。従って、ユーザおよびメーカーは、過去に生じたエラーを容易に把握することができる。また、ユーザおよびメーカーは、記憶媒体７１を治療装置１から取り外すことで、治療装置１以外のデバイスで過去のエラーを把握することも可能である。なお、本実施形態では、エラーが発生すると、本体の制御部６０からコントロールボックス７０の制御部にエラーログ情報が送信され、コントロールボックス７０の制御部によって記憶媒体７１にエラーログ情報が書き込まれる。
【００３７】
＜治療装置制御処理＞
図４および図５を参照して、本実施形態の治療装置１が実行する治療装置制御処理について説明する。治療装置制御処理は、治療装置１に電源が投入された場合に、制御部６０のＣＰＵ６１（詳細には、本実施形態では、本体の制御部６０のＣＰＵ６１と、コントロールボックス７０の制御部のＣＰＵ）によって実行される。ＣＰＵ６１は、不揮発性メモリ（本実施形態では、本体の不揮発性メモリ６４およびコントロールボックス７０の不揮発性メモリ）に記憶された治療装置制御プログラムに従って、図４および図５に示す治療装置制御処理を実行する。
【００３８】
図４に示すように、ＣＰＵ６１は、治療装置制御処理を開始すると、起動処理を実行する（Ｓ１）。起動処理は、一定の条件に基づいて治療装置１を起動させる処理である。
【００３９】
図５に示すように、ＣＰＵ６１は、記憶媒体ＩＦ６５に記憶媒体（メモリ）７１がセットされているか否かを判断する（Ｓ３０）。記憶媒体７１がセットされていれば（Ｓ３０：ＹＥＳ）、ＣＰＵ６１は、鍵情報、ユーザ情報、および治療外設定情報（図３参照）を、記憶媒体ＩＦ６５を介して記憶媒体７１から取得する（Ｓ３１）。
【００４０】
ＣＰＵ６１は、記憶媒体７１から取得した鍵情報が適切な鍵情報であるか否かを判断する（Ｓ３２）。例えば、ＣＰＵ６１は、不揮発性メモリ６４等に予め記憶された適切な鍵情報と、記憶媒体７１から取得した鍵情報とが一致するか否かに基づいて、取得した鍵情報が適切であるか否かを判断してもよい。鍵情報が適切でなければ（Ｓ３２：ＮＯ）、治療動作の実行は許容されずに（つまり、治療動作の実行が禁止された状態のまま）エラー表示が行われて停止状態とし（Ｓ３５）、処理は終了する。鍵情報が適切であれば（Ｓ３２：ＹＥＳ）、ＣＰＵ６１は、治療動作の実行を禁止する状態を、治療動作の実行を許容する状態に移行させて（Ｓ３４）、処理は治療装置制御処理（図４参照）に戻る。
【００４１】
記憶媒体ＩＦ６５に記憶媒体７１がセットされていない場合（Ｓ３０：ＮＯ）、ＣＰＵ６１は、パスワード入力画面を操作部６６に表示させて、ユーザにパスワードの入力を促す（Ｓ３７）。適切なパスワードが入力されなければ（Ｓ３８：ＮＯ）、装置の電源がＯＦＦとされて（Ｓ３９）、処理は終了する。適切なパスワードが入力されると（Ｓ３８：ＹＥＳ）、ＣＰＵ６１は、治療動作の実行を許容する状態として（Ｓ３４）、処理は治療装置制御処理に戻る。従って、本実施形態では、ユーザが記憶媒体７１を一時的に紛失した場合、または所持し忘れた場合等でも、治療を実行できなくなるリスクが低減される。
【００４２】
図４の説明に戻る。起動処理（Ｓ１）が正常に終了すると、ＣＰＵ６１は、記憶媒体７１から動作条件が取得されたか否かを判断する（Ｓ６）。例えば、記憶媒体７１に動作条件が１組も記憶されていない場合、または記憶媒体７１がセットされずに起動された場合等には、動作条件は取得されない。この場合（Ｓ６：ＮＯ）、ＣＰＵ６１は、予め定められているデフォルトの動作条件を設定する（Ｓ７）。デフォルトの動作条件は、本体のＲＯＭ６２またはコントロールボックス７０のＲＯＭ等に記憶されていてもよい。記憶媒体７１から動作条件が取得された場合（Ｓ６：ＹＥＳ）、取得された動作条件が１つ（１組）であるか否かが判断される（Ｓ９）。取得された動作条件が１つである場合（Ｓ９：ＹＥＳ）、ＣＰＵ６１は、取得された動作条件を設定する（Ｓ１０）。取得された動作条件が複数である場合（Ｓ９：ＮＯ）、ＣＰＵ６１は、複数の動作条件のうちのいずれかをユーザに選択させるための動作条件選択画面を操作部６６に表示させて、動作条件の選択をユーザに促す（Ｓ１１）。ＣＰＵ６１は、動作条件選択画面上で選択された動作条件を設定する（Ｓ１２）。
【００４３】
なお、前述したように、本実施形態では、本体のＣＰＵ６１およびコントロールボックス７０のＣＰＵによって治療装置制御処理が行われる。例えば、Ｓ１０，Ｓ１２では、コントロールボックス７０のＣＰＵによって記憶媒体７１から取得された動作条件が、本体のＣＰＵ６１に送信されることで、本体の動作条件が設定されてもよい。また、ＣＰＵ（詳細には、本実施形態ではコントロールボックス７０のＣＰＵ）は、Ｓ７，Ｓ１０，Ｓ１２において動作条件を設定すると、設定した動作条件を治療中画像（図２参照）に表示させる。
【００４４】
ＣＰＵ６１は、動作条件の変更指示が入力されたか否かを判断する（Ｓ１４）。換言すると、ＣＰＵ６１は、治療動作の動作条件を設定するための操作指示が操作部６６に入力されたか否かを判断する。前述したように、ユーザは、治療中画像（図２参照）が表示されているタッチパネルを操作することで、各動作条件のパラメータを設定（変更）することができる。動作条件の変更指示が入力されると（Ｓ１４：ＹＥＳ）、ＣＰＵ６１は、ユーザによって指示された動作条件を設定する（Ｓ１５）。記憶媒体７１がセットされている場合には、ＣＰＵ６１は、指示された動作条件を記憶媒体７１に記憶させる（Ｓ１６）。トリガスイッチ６７が操作されると、ＣＰＵ６１は、その時点で設定されている動作条件に従って、治療動作（本実施形態では治療レーザ光の照射）を実行する（Ｓ１８）。
【００４５】
次いで、ＣＰＵ６１は、治療を終了する指示（例えば、電源をＯＦＦとする指示）が入力されたか否かを判断する（Ｓ１９）。終了指示が入力されていなければ（Ｓ１９：ＮＯ）、処理はＳ１４へ戻り、動作条件を変更する処理、または治療動作が継続される。治療の終了指示が入力されると（Ｓ１９：ＹＥＳ）、ＣＰＵ６１は、治療動作の実行を許容する状態を、実行を禁止する状態に移行させる（Ｓ２０）。さらに、記憶媒体７１がセットされている場合には、治療記録、エラーログ、治療外設定等の情報が記憶媒体７１に記憶されて（Ｓ２１）、治療装置制御処理は終了する。
【００４６】
以上説明したように、本実施形態における治療装置１の制御部６０は、ユーザが携帯可能な記憶媒体７１から鍵情報とユーザ情報を取得する。制御部６０は、適切な鍵情報が取得された場合に、治療動作の実行を禁止する状態を、実行を許容する状態に移行させる。また、制御部６０は、取得されたユーザ情報に基づいて、治療動作の動作条件を設定することができる。従って、本実施形態の治療装置１は、携帯可能な記憶媒体７１を利用することで、装置の誤使用の抑制と、動作条件設定の容易化を共に適切に実現することができる。つまり、ユーザは、記憶媒体７１に記憶されている情報を治療装置１に読み込ませるだけで、治療動作の禁止解除と、動作条件の設定とを共に容易に行うことができる。
【００４７】
本実施形態では、治療動作の動作条件がユーザ情報として記憶媒体７１に記憶されている。制御部６０は、記憶媒体７１から取得した動作条件を治療装置１において設定する。この場合、ユーザが治療装置１を初めて使用する場合であっても、ユーザに適した動作条件が容易に設定される。例えば、ユーザが普段勤務している病院で使用している治療装置１と同じ種類の治療装置１が出張先の病院に設定されている場合等に、ユーザが所持している記憶媒体７１を出張先の治療装置１に対して使用してもよい。この場合、ユーザは、普段使用している動作条件を、出張先の治療装置でも容易に設定することができる。
【００４８】
本実施形態の制御部６０は、操作部６６を介して入力された操作指示に従って動作条件を設定することも可能である。制御部６０は、操作指示に従って設定した動作条件を、記憶媒体７１に記憶させることができる。従って、ユーザは、治療装置１の操作部６６を操作して設定した動作条件を、次回以降の治療時にも容易に設定することができる。
【００４９】
本実施形態の記憶媒体７１は、治療装置１以外の外部端末による動作条件の書き込みが可能な記憶媒体である。従って、ユーザは、治療装置１を用いずに、外部端末によって動作条件を決定し、記憶媒体７１に記憶させることも可能である。また、本実施形態の治療装置１は、発生したエラーのログを記憶媒体７１に記憶させるエラー記憶処理手段を備える。従って、ユーザ等は、エラーの内容を容易に把握できる。
【００５０】
上記実施形態で開示された技術は一例に過ぎない。従って、上記実施形態で例示された技術を変更することも可能である。例えば、上記実施形態では、記憶媒体７１に動作条件が記憶されている。制御部６０は、記憶媒体７１から取得した動作条件を、治療装置１の動作条件として設定する。しかし、動作条件は記憶媒体７１に記憶されていなくてもよい。この場合、例えば、治療装置１の不揮発性メモリ６４等に複数の動作条件が記憶されていてもよい。制御部６０は、記憶媒体７１から取得した情報のうち、動作条件以外のユーザ情報（例えば、ユーザＩＤまたはユーザ名等）に基づいて、複数の動作条件の中からユーザに応じた動作条件を設定してもよい。この場合、治療装置１は、複数の動作条件の各々と複数のユーザの各々とを対応付ける対応情報（例えばテーブルデータ等）を記憶しておき、ユーザＩＤ等によって特定されるユーザに対応する動作条件を、対応情報に基づいて設定してもよい。
【００５１】
治療装置が設定する動作条件（動作パラメータ）の種類および数も変更できる。例えば、治療装置は、組織に照射する治療レーザ光の照射時間（パルス幅という場合もある）を変更する構成を備えていてもよい。この場合、治療装置は、治療レーザ光の照射時間を動作条件として設定してもよい。治療レーザ光のパワー（単位時間あたりの出力）を動作条件として設定してもよい。また、治療装置は、組織に集光される治療レーザ光の大きさ（スポットサイズ）を変更するスポットサイズ変更部を備えていてもよい。この場合、治療装置は、治療レーザ光のスポットサイズを動作条件として設定してもよい。
【符号の説明】
【００５２】
１    治療装置
１０    レーザ照射光学系
１１    治療レーザ光源
１３    エネルギ調整部
５０    シフト調整部
６０    制御部
６１    ＣＰＵ
６４    不揮発性メモリ
６５    記憶媒体ＩＦ
６６    操作部
７１    記憶媒体
【図１】
0006649601.tif 000002
【図２】
0006649601.tif 000003
【図３】
0006649601.tif 000004
【図４】
0006649601.tif 000005
【図５】
0006649601.tif 000006